【手続補正書】
【提出日】平成20年6月11日(2008.6.11)
【手続補正１】
【補正対象書類名】明細書
【補正対象項目名】特許請求の範囲
【補正方法】変更
【補正の内容】
【特許請求の範囲】
【請求項１】  対象画像から当該画像の特徴量を抽出する領域を解析する画像処理装置であって、
対象画像に含まれる所定画像領域の所定点を起点として、任意の規則に基いて経路を探索する経路探索手段と、
上記経路探索手段で得られた経路上の画素値の解析結果に基いて、上記特徴量を抽出する領域を解析する解析手段とを備えることを特徴とする画像処理装置。
【請求項２】  対象画像は、被写体を放射線撮影して得られた画像を含み、上記所定画像領域は、被写体領域を含むことを特徴とする請求項１記載の画像処理装置。
【請求項３】  上記経路探索手段は、上記所定点を、上記所定画像領域の高画素値領域の重心とすることを特徴とする請求項１記載の画像処理装置。
【請求項４】  上記任意の規則は、上記所定画像領域において、一定領域内の画素値の大小関係で上記経路を決定する規則を含むことを特徴とする請求項１記載の画像処理装置。
【請求項５】  上記所定画像領域の平滑化画像を取得する平滑化手段を含み、
上記経路探索手段は、上記平滑化手段で得られた平滑化画像に対して、上記経路の探索を行うことを特徴とする請求項１記載の画像処理装置。
【請求項６】  複数の機器が互いに通信可能に接続されてなる画像処理システムであって、
上記複数の機器のうち少なくとも１つの機器は、請求項１〜５の何れかに記載の画像処理装置の機能を有することを特徴とする画像処理システム。
【請求項７】  対象画像から当該画像の特徴量を抽出する領域を解析するための画像処理方法であって、
対象画像に含まれる所定画像領域の所定点を起点として、任意の規則に基いて経路を探索する経路探索ステップと、
上記経路探索ステップにより得られた経路上の画素値の解析結果に基いて、上記特徴量を抽出する領域を解析する解析ステップとを含むことを特徴とする画像処理方法。
【請求項８】  被写体を放射線撮影して得られた画像に対して画像処理を施す際に用いる当該画像の特徴量を抽出する領域を解析するための画像処理方法であって、
被写体領域を上記画像から抽出する被写体抽出ステップと、
上記被写体抽出ステップにより得られた被写体領域の所定点から一定規則に基いて経路探索する経路探索ステップと、
上記経路探索ステップにより得られた経路上の画素値を解析した結果に基いて、上記特徴量を抽出する領域を解析する解析ステップとを含むことを特徴とする画像処理方法。
【請求項９】  上記経路探索ステップは、上記所定点を上記被写体領域の高画素値領域の重心とするステップを含むことを特徴とする請求項８記載の画像処理方法。
【請求項１０】  上記経路探索ステップは、上記一定規則を、一定領域内の画素値の大小関係で決まる規則とするステップを含むことを特徴とする請求項８記載の画像処理方法。
【請求項１１】  上記経路探索ステップは、上記被写体領域を平滑化した画像に対して、上記経路探索を行うステップを含むことを特徴とする請求項８記載の画像処理方法。
【請求項１２】  対象画像から当該画像の特徴量を抽出する領域を解析させるためのプログラムであって、
対象画像に含まれる所定画像領域の所定点を起点として、任意の規則に基いて経路を探索する経路探索ステップと、
上記経路探索ステップにより得られた経路上の画素値の解析結果に基いて、上記特徴量を抽出する領域を解析する解析ステップとをコンピュータに実行させるためのプログラム。
【請求項１３】  被写体を放射線撮影して得られた画像に対して画像処理を施す際に用いる当該画像の特徴量を抽出する領域を解析させるためのプログラムであって、
被写体領域を上記画像から抽出する被写体抽出ステップと、
上記被写体抽出ステップにより得られた被写体領域の所定点から一定規則に基いて経路探索する経路探索ステップと、
上記経路探索ステップにより得られた経路上の画素値を解析した結果に基いて、上記特徴量を抽出する領域を解析する解析ステップとをコンピュータに実行させるためのプログラム。
【請求項１４】  請求項１２又は１３に記載のプログラムを記録したコンピュータ読取可能な記憶媒体。
【手続補正２】
【補正対象書類名】明細書
【補正対象項目名】００１０
【補正方法】変更
【補正の内容】
【００１０】
第２の発明は、上記第１の発明において、対象画像は、被写体を放射線撮影して得られた画像を含み、上記所定画像領域は、被写体領域を含むことを特徴とする。
【手続補正３】
【補正対象書類名】明細書
【補正対象項目名】００１３
【補正方法】変更
【補正の内容】
【００１３】
第５の発明は、上記第１の発明において、上記所定画像領域の平滑化画像を取得する平滑化手段を含み、上記経路探索手段は、上記平滑化手段で得られた平滑化画像に対して、上記経路の探索を行うことを特徴とする。
【手続補正４】
【補正対象書類名】明細書
【補正対象項目名】００１６
【補正方法】変更
【補正の内容】
【００１６】
第８の発明は、被写体を放射線撮影して得られた画像に対して画像処理を施す際に用いる当該画像の特徴量を抽出する領域を解析するための画像処理方法であって、被写体領域を上記画像から抽出する被写体抽出ステップと、上記被写体抽出ステップにより得られた被写体領域の所定点から一定規則に基いて経路探索する経路探索ステップと、上記経路探索ステップにより得られた経路上の画素値を解析した結果に基いて、上記特徴量を抽出する領域を解析する解析ステップとを含むことを特徴とする。
【手続補正５】
【補正対象書類名】明細書
【補正対象項目名】００１９
【補正方法】変更
【補正の内容】
【００１９】
第１１の発明は、上記第８の発明において、上記経路探索ステップは、上記被写体領域を平滑化した画像に対して、上記経路探索を行うステップを含むことを特徴とする。
【手続補正６】
【補正対象書類名】明細書
【補正対象項目名】００２０
【補正方法】変更
【補正の内容】
【００２０】
第１２の発明は、対象画像から当該画像の特徴量を抽出する領域を解析させるためのプログラムであって、対象画像に含まれる所定画像領域の所定点を起点として、任意の規則に基いて経路を探索する経路探索ステップと、上記経路探索ステップにより得られた経路上の画素値の解析結果に基いて、上記特徴量を抽出する領域を解析する解析ステップとをコンピュータに実行させるためのプログラムである。
【手続補正７】
【補正対象書類名】明細書
【補正対象項目名】００２１
【補正方法】変更
【補正の内容】
【００２１】
第１３の発明は、被写体を放射線撮影して得られた画像に対して画像処理を施す際に用いる当該画像の特徴量を抽出する領域を解析させるためのプログラムであって、被写体領域を上記画像から抽出する被写体抽出ステップと、上記被写体抽出ステップにより得られた被写体領域の所定点から一定規則に基いて経路探索する経路探索ステップと、上記経路探索ステップにより得られた経路上の画素値を解析した結果に基いて、上記特徴量を抽出する領域を解析する解析ステップとをコンピュータに実行させるためのプログラムである。
【手続補正８】
【補正対象書類名】明細書
【補正対象項目名】００２２
【補正方法】変更
【補正の内容】
【００２２】
第１４の発明は、上記第１２又は１３の発明のプログラムを記録したコンピュータ読み取り可能な記憶媒体である。
【手続補正９】
【補正対象書類名】明細書
【補正対象項目名】００２３
【補正方法】削除
【補正の内容】